(57)【要約】【課題】従来の封緘器具の安全性・信頼性を維持しながらも、硬貨を収容する袋等の開口を、容易にかつ強く締めつけることができる封緘器具を提供すること。【解決手段】締付けバンド部１と、記録票部２とによって封緘器具を構成する。締付けバンド部１は、ストラップ部１０とその一端側に設けられたヘッド部２０と、記録票部を取り付けるための票固定部３０とを有する。ストラップ部１０とヘッド部２０とによる締め付け構造には、従来公知の結束バンドにおける締め付け構造が転用されている。記録票部２は、印字および／または押印が可能なシートであって、該シート面には貫通孔２ａが設けられ、該貫通孔２ａには、票固定部に一端を固定されたハトメまたはリベット３が挿通され、記録票部が締付けバンド部に固定された構成となっている。【選択図】図１
2006089111.tif 000002
【特許請求の範囲】
【請求項１】
硬貨がそのままの状態で収容された袋を、または硬貨がパッケージされた状態で収容された袋を、封緘するための封緘器具であって、
締付けバンド部と、記録票部とを有し、
締付けバンド部は、封緘すべき袋の開口近傍部に巻き付けるための帯状のストラップ部と、その一端側に設けられたヘッド部と、記録票部を取り付けるための票固定部とを少なくとも有し、ストラップ部の少なくとも一方の面には鋸歯状の凹凸部が設けられ、ヘッド部には、ストラップ部が通過し得る挿通孔が設けられており、該挿通孔内には、前記凹凸部とかみ合う凹凸部を有する爪片が設けられており、該爪片は、ストラップ部が逆方向に戻ろうとするときのみ該ストラップ部の凹凸部にかみ合って逆戻りを阻止し得る構成とされており、票固定部は、ストラップ部またはヘッド部に含まれるかまたはこれらから張り出した部分として設けられ、
記録票部は、印字および／または押印が可能なシートであって、該シート面には貫通孔が設けられ、
該記録票部の貫通孔には、票固定部に一端を固定されたハトメまたはリベットが挿通され、該ハトメまたはリベットの他端の外径が、貫通孔から抜けないように大きくなっており、これによって記録票部が締付けバンド部に固定されていることを特徴とする、封緘器具。
【請求項２】
票固定部が、ヘッド部から、ストラップ部とは反対側に張り出した部分として設けられている、請求項１記載の封緘器具。
【請求項３】
票固定部に貫通孔が設けられ、ハトメまたはリベットが、該票固定部の貫通孔を通過し、該貫通孔から抜けないように一端の外径が大きくなっていることによって、該票固定部に固定されたものである、請求項１記載の封緘器具。
【請求項４】
ハトメまたはリベットが、票固定部と一体的に形成されて票固定部から突き出したものである、請求項１記載の封緘器具。
【請求項５】
ハトメまたはリベットが、票固定部に対して、溶着または接着によって一端を固定されたものである、請求項１記載の封緘器具。
【発明の詳細な説明】
【技術分野】
【０００１】
本発明は、硬貨（パッケージされた硬貨を含む）を収容した袋の開口部を封緘するための器具に関するものである。
【背景技術】
【０００２】
硬貨の製造工程においては、製造された硬貨の数量を厳密に管理するために、特定枚数の硬貨をそのまま封緘用の袋に収容するか、または硬貨に所定の包装を施した状態で封緘用の袋に収容し、該封緘用の袋の開口部を封緘器具によって厳密に封緘している。以下、封緘用の袋を、「硬貨袋」または単に「袋」とも呼ぶ。
封緘器具には、記録票が分離不能に取り付けられており、該記録票には、その袋に収容された硬貨の種類や枚数などが記載され、封緘した責任者の押印が付されている。これによって、封緘された袋は、記録票を分離不能に伴なった状態で管理されている。
【０００３】
図４（ａ）、（ｂ）は従来の封緘器具を模式的に示した図である。図４（ａ）に示すタイプの封緘器具は、例えば、特許文献１に「硬貨収納袋等の封印具」として、詳細に説明されている。
同図に示すように、いずれの封緘器具も、基本的な構成は同様であって、紐１１０と留め具（１００または１０１）と、記録票１２０とを有し、ループタイを締める如く硬貨袋の開口近傍部を紐１１０で締めつけることができ、締め付けた紐は破壊する以外には緩まない構成とされ、かつ、紐は記録票に通されて、破壊する以外には外れない構成とされている。
硬貨袋の開口近傍部とは、図５に示すように、硬貨袋の開口端から、例えば１００ｍｍ〜２００ｍｍ（必要に応じてそれ以外の寸法であってもよい）程度離れた部位であって、紐状物を巻きつけ締め付けることによって袋を閉じるのに好ましい寸法だけ、開口端から離れた部位をいう。
【０００４】
図４（ａ）に示す従来の封緘器具の構成をより詳しく説明すると、紐１１０は２重のループとなっており、このループ内に、矢印Ａで示すように硬貨袋の開口近傍部が通される。紐１１０は、留め具１００の内部にループ側１００ａから入り、特殊な通過経路を経て外側１００ｂから出ている。
留め具内の紐の通過経路は、外側１００ｂから矢印Ｂの方向に紐１１０ｂを引張ると、紐１１０が留め具内に引き込まれてループ内径が小さくなるが、逆に、ループ側から紐１１０を引張っても、外側の紐１１０ｂを引き込んでループ内径が大きくならないように（即ち、封緘が緩まないように）工夫されている。このような機構によって、図５に示すように、硬貨袋の開口近傍部を紐１１０で締めつけることができ、いったん締めつけると、緩むことがない。
図４（ｂ）に示す封緘器具の留め具も、紐の基本的な経路は図４（ａ）と同様であるが、留め具全体が鉛製であり、専用工具を用いて、外側の紐１１０ｂを引っ張ってループを収縮させ、さらに鉛製の留め具１０１を外側から潰して内部の紐に圧着する構成となっている。
【０００５】
一方、ループ側の紐１１０には紙製の記録票１２０が取り付けられており、紐１１０が記録票１２０のハトメ（鳩目）穴１２１を通過している。これによって封緘の際には、図５に示すように、硬貨袋の開口近傍部を記録票１２０と共に紐１１０で締めつけることになる。
記録票には、硬貨袋内に封緘された硬貨の種類や総額、その他、必要に応じて日付や識別番号などが印字され、また、封緘した者の押印がなされる。
この記録票は、穴の部分を破るか、紐の方を切るか以外には、紐から取り外すことができず、仮に該票を破って外すと、その破れた記録票は他の封緘には再利用できない。よって、記録票は、袋の内容や封緘の責任者を明確にする明細書・証明書であると共に、封緘セキュリティをより高める役目をも果たしている。
【０００６】
しかしながら、本発明者等が、上記従来の封緘器具の使用状況を詳細に調べたところ、先ず、次に示す問題点が存在することを見出した。
該問題点とは、留め具の構造に起因した、紐を締めつける際の操作上の問題である。
例えば、図４（ａ）に示す封緘器具は、留め具に対して外側の紐１１０ｂを手で引っ張って締めつけるタイプであるから、操作自体は簡単であるが、手による操作であるために、紐を強く締めつけることが困難であり、封緘が緩いという問題がある。
また、図４（ｂ）に示す封緘器具は、紐を強く締めつけることが可能であるが、締めつけて圧着するための専用の工具が必要であり、操作に手間がかかるという問題がある。
【特許文献１】特開平１−２９４４４９号公報
【特許文献２】特開平６−１９３６１３号公報
【特許文献３】特開平８−１７５５６４号公報
【特許文献４】特開平９−４０００４号公報
【発明の開示】
【発明が解決しようとする課題】
【０００７】
本発明の目的は、上記問題を解決し、従来の封緘器具の安全性・信頼性を維持しながらも、硬貨を収容した袋等の開口を、容易にかつ強く締めつけることができる封緘器具を提供することにある。
【課題を解決するための手段】
【０００８】
上記目的を達成すべく、本発明者等は、先ず、硬貨袋の開口締めつけの作業性を改善するための器具として、ケーブルや線材などの結束に用いられている結束バンド（ケーブルタイ）を、硬貨袋の封緘に応用することに着目した。
【０００９】
結束バンドは、図６（ａ）に主要な構造部分を誇張して示すように、主として、帯状のストラップ部２００と、その一端に一体的に設けられたヘッド部２１０とを有して構成された締め具である。
図６（ａ）に示すように、ストラップ部２００の少なくとも一方の面（同図の例では上面）には、セレーションとも呼ばれる鋸歯状の凹凸部２０１が設けられている。ヘッド部２１０には、ストラップ部を自由端部２０２から挿通させ得る挿通孔２１１が設けられており、該挿通孔内には、ラチェット機構の如く、ストラップ部の凹凸部２０１とかみ合って、ストラップ部の後退を阻止する爪片２１２が設けられている。
爪片２１２は、ストラップ部が順方向（矢印Ｃの方向）に進行するときは引き下がって抵抗しないが、逆方向に戻ろうとすると、該爪片２１２に設けられた鋸歯状の凹凸部がストラップ部の凹凸部２０１にかみ合って、ストラップ部の逆戻りを阻止する。
このような逆戻り不可の構成によって、締めつけは抵抗無くスムーズであり、しかも緩むことがなく、ストラップ部を切断する以外には、その結束を解除することができない構成となっている。
【００１０】
公知の結束バンドの種々の態様のなかには、図６（ｂ）に示すように、ヘッド部の近傍に、板状部分２２０が一体的に設けられ、該板状部分に、文字を書き込むことが出来るようにした態様のものがある。
硬貨袋の封緘には記録票が必須であることから、本発明者等は、このような板状部分付きの結束バンドを硬貨袋の封緘に適用したが、該板状部分が樹脂製であるために、油性のインクでしか記録ができず、押印のインクが乗らないために、記録票として十分には機能しないことがわかった。
また、従来どおりの紙製の記録票に貫通孔を設け、単純に結束バンドを通過させただけの態様（図示せず）では、記録票が再利用可能となってしまい、従来の封緘器具における記録票が持っている、セキュリティを高める機能を持たなくなり、記録票の信頼性も半減してしまうことがわかった。
【００１１】
そこで、本発明者等がさらに研究した結果、記録票に貫通孔を設け、該貫通孔を利用して、結束バンドに対してハトメまたはリベットを用いて該記録票を一体的にカシメ付けることによって、封緘袋を容易に強く締めつけることができ、また、記録票については従来どおりの記入が可能であり、なおかつ、他への再利用ができない封緘器具が得られることを見出し、本発明を完成させた。
【００１２】
即ち、本発明は次の特徴を有するものである。
（１）硬貨がそのままの状態で収容された袋を、または硬貨がパッケージされた状態で収容された袋を、封緘するための封緘器具であって、
締付けバンド部と、記録票部とを有し、
締付けバンド部は、封緘すべき袋の開口近傍部に巻き付けるための帯状のストラップ部と、その一端側に設けられたヘッド部と、記録票部を取り付けるための票固定部とを少なくとも有し、ストラップ部の少なくとも一方の面には鋸歯状の凹凸部が設けられ、ヘッド部には、ストラップ部が通過し得る挿通孔が設けられており、該挿通孔内には、前記凹凸部とかみ合う凹凸部を有する爪片が設けられており、該爪片は、ストラップ部が逆方向に戻ろうとするときのみ該ストラップ部の凹凸部にかみ合って逆戻りを阻止し得る構成とされており、票固定部は、ストラップ部またはヘッド部に含まれるかまたはこれらから張り出した部分として設けられ、
記録票部は、印字および／または押印が可能なシートであって、該シート面には貫通孔が設けられ、
該記録票部の貫通孔には、票固定部に一端を固定されたハトメまたはリベットが挿通され、該ハトメまたはリベットの他端の外径が、貫通孔から抜けないように大きくなっており、これによって記録票部が締付けバンド部に固定されていることを特徴とする、封緘器具。
（２）票固定部が、ヘッド部から、ストラップ部とは反対側に張り出した部分として設けられている、上記（１）記載の封緘器具。
（３）票固定部に貫通孔が設けられ、ハトメまたはリベットが、該票固定部の貫通孔を通過し、該貫通孔から抜けないように一端の外径が大きくなっていることによって、該票固定部に固定されたものである、上記（１）記載の封緘器具。
（４）ハトメまたはリベットが、票固定部と一体的に形成されて票固定部から突き出したものである、上記（１）記載の封緘器具。
（５）ハトメまたはリベットが、票固定部に対して、溶着または接着によって一端を固定されたものである、上記（１）記載の封緘器具。
【発明の効果】
【００１３】
本発明の封緘器具は、袋の開口近傍部に巻き付いて締め付けるための機構部分として、締付けバンド部（ストラップ部とヘッド部とを少なくとも有してなる）を有している。
締付けバンド部におけるストラップ部とヘッド部の基本的な構造、それらによる逆戻りしない締め付け作用は、従来公知の結束バンドのストラップ部とヘッド部と同様である。この構造を採用したことによって、専用の締め付け工具を用いない簡単な操作でありながら、袋の開口近傍部を強く締め付けることができる。
また、本発明の封緘器具には、記録票が、記録票部として、ハトメまたはリベットによって締付けバンド部に一体的にカシメ付けられている。
このカシメ付けされた記録票部の付与によって、破壊以外には、該記録票部を取り外すことはできない。即ち、結束バンドの締め付け構造を封緘に応用し、かつ、記録票を添付しながらも、記録票だけをはずして他に転用させるようなことがないように、記録票を安全に使用することが可能となっており、従来の封緘器具における記録票の安全性、信頼性が、本発明の封緘器具においても維持されている。
【発明を実施するための最良の形態】
【００１４】
以下、硬貨袋を封緘する場合を例として、本発明を説明する。
本発明の封緘器具は、図１（ａ）に構成の一例を示すように、締付けバンド部１と、記録票２とを有して構成される。締付けバンド部１は、袋の開口近傍部に巻き付けるための帯状のストラップ部１０と、その一端側に設けられたヘッド部２０と、記録票を取り付けるための票固定部３０とを少なくとも有する。
ストラップ部１０とヘッド部２０とによる締め付け構造自体は、従来公知の結束バンドの構造と同様である。票固定部３０は、記録票部２を締付けバンド部１に取り付けるためのベース部分である。図１の例では、ヘッド部２０から張り出した態様となっているが、ストラップ部やヘッド部が兼用してもよい。
記録票部２は、袋に収容すべき物品の内容や責任者名など、封緘時の種々のデータを印字および／または押印が可能なシートである。
図１（ｂ）に示すように、記録票部２にはシート面を貫通する貫通孔２ａが設けられている。票固定部３０に一端３ｂを固定されたハトメ（またはリベット）３の他端３ａの側が該貫通孔２ａに挿通され、貫通孔２ａから抜けないようにカシメられている。
これによって記録票部２が、破壊する以外には外すことができないように締付けバンド部１に固定され、本発明による封緘器具となっている。
【００１５】
ストラップ部１０とヘッド部２０とによる締め付け構造は、従来公知の結束バンドの構造と同様である。
図１に示すように、ストラップ部１０の少なくとも一方の面には鋸歯状の凹凸部（セレーション）１１が設けられ、ヘッド部２０には、ストラップ部をその先端部１０ａから差し込んで通過させ得る挿通孔２１が設けられ、該挿通孔内２１には、前記凹凸部１１とかみ合う凹凸部を有する爪片２２が設けられている。該爪片２２は、挿通されたストラップ部が逆方向に戻ろうとするときのみストラップ部の凹凸部にかみ合って逆戻りを阻止し得る構成とされている。
鋸歯状の凹凸部１１と、爪片２２とは、ラチェット機構を構成しており、ヘッド部の挿通孔２１に入ったストラップ部の凹凸部１１は、爪片２２との相互の作用によって、一段ずつ進んだ分だけ締め付けられた状態となって後戻りすることはない。
図１（ａ）の例では、ストラップ部の先端をヘッド部に挿入するときの方向が、ストラップ部の基端に直角であるが、ヘッド部の挿通孔の方向を変えて、ストラップ部の先端がストラップ部の基端に平行に、ヘッド部に挿入される態様としてもよい。
【００１６】
ヘッド部内における、鋸歯状の凹凸部１１と、爪片２２とのかみ合い状態については、図６（ａ）に示すとおりである。鋸歯状の凹凸部のプロフィール、段差やピッチの寸法、爪片のスイング機構など、締め付け構造自体の細部の形状、寸法、材料、製造方法は、上記特許文献２〜４など、従来公知の結束バンドの締め付け構造を参照してもよい。
【００１７】
ストラップ部の幅、厚さ、長さは、限定されず、求められる強度や袋の開口部近傍を締め付けたときの外径に応じて適宜選択してよい。
硬貨袋の封緘用途では、ストラップ部の好ましい幅は、３ｍｍ〜１０ｍｍ程度、特に好ましくは４ｍｍ〜７ｍｍであり、好ましい厚さは、２ｍｍ〜４ｍｍ程度、特に好ましくは２ｍｍ〜３ｍｍであり、好ましい長さは、１００ｍｍ〜４００ｍｍ程度、特に好ましくは１５０ｍｍ〜２００ｍｍである。これらの数値はあくまで実使用上の好ましい範囲の一例であって、硬貨袋の封緘用途であっても、最適な封緘ができるように、適宜変更をしてもよい。
【００１８】
締付けバンド部の材料は、上記したとおり、従来公知の結束バンドの材料を参照すればよく、例えば、６６ナイロン、４６ナイロン、６ナイロン、ポリプロピレン、ポリエチレン、ポリアセタールなどが挙げられるが、好ましい柔軟性や大きな引っ張り強度を有している点からは、６６ナイロン、６ナイロンなどが好ましい材料として挙げられる。
【００１９】
種々の結束バンドの中には、爪片による逆戻り阻止を外部から解除させ得る機構をさらに付加したものも存在するが、そのような再使用可能な付帯機構は、本発明では好ましくない機構である。本発明者等が、結束バンドを封緘へと応用することに着目した点は、破壊する以外には、その結束を解除することができないという、再使用不可能な点にあるからである。
【００２０】
票固定部は、記録票部が締め付け操作の障害にならない部分に設けることが好ましく、独立した別部品を締付けバンド部に分離不能に取り付けた態様であってもよいが、締付けバンド部の一部として成形された態様が好ましい。
図１（ａ）の態様は、票固定部３０が、ヘッド部２０から、ストラップ部１０とは反対側に張り出した態様であるが、図２（ａ）に示すように、票固定部３０を、ヘッド部２０から側方へ張り出した態様や、図２（ｂ）に示すように、票固定部３０を、ヘッド部２０とストラップ部１０との間に設けた態様（票固定部をストラップ部の一部として設けたと見なしてもよい）などであってもよい。
【００２１】
本発明でいう「ハトメまたはリベット」とは、票固定部の貫通孔を通過し、該貫通孔から抜けないように一端が肥大変形している部材の総称であって、独立した筒状部品としてのハトメや、独立した所謂リベットだけを意味するのではない。
図１（ｂ）の例では、票固定部３０に貫通孔３０ａが設けられ、ハトメ３が該貫通孔３０ａを通過し、該貫通孔３０ａから抜けないように一端３ｂの外径が大きくなっており、票固定部３０に固定されている。該ハトメの他端は、変形前はストレートであったが、記録票部を通した後、変形され、記録票部を票固定部にカシメ付けている。
図３（ａ）は、図１（ｂ）の例におけるハトメをリベットに置き換えたものであって、カシメ構造は図１（ｂ）の例と同様である。変形前はストレートの円柱状であったもの（図中、一点鎖線で示された状態）が、記録票部２の貫通孔に通された後に、端部が変形して、記録票部２を票固定部３０にカシメ付けている。
【００２２】
図３（ｂ）は、リベット（ハトメであってもよい）３が、票固定部３０と一体的に形成されたものであって、票固定部３０から突き出した態様として形成されたものであって、これも、変形前はストレートの円柱状（一点鎖線）であったものが、記録票部２の貫通孔に通された後に、端部が変形し、記録票部２を票固定部３０にカシメ付けている。同図のように、一端側が最初から票固定部と一体になったものでも、本発明でいう「ハトメまたはリベット」である。
【００２３】
図３（ｃ）は、票固定部３０に対してリベット（ハトメであってもよい）３が、溶着または接着によって一端を固定される態様を示している。同図の例は、他端側が既にキノコ形に膨れた形状とされたリベット３が記録票部２の貫通孔２ａに挿入され、票固定部に熱溶着または接着されようとしている状態を示している。同図のように、他端側が最初から記録票部２の貫通孔を通過し得ないように肥大した形状とされ、一端側が票固定部と溶着や接着剤を介して一体になったもの、即ち、記録票部と票固定部との接続において変形が伴なわないものであっても、本発明でいう「ハトメまたはリベット」である。
【００２４】
図３（ｃ）に示す態様において、票固定部３０に対してリベットやハトメを溶着させるための方法としては、熱コテ等を用いて溶着させる方法、超音波を作用させて溶着させる方法、レーザー光を照射して溶着させる方法などが挙げられる。接合部分の剥離強度は、リベットやハトメの強度以上であることが好ましい。
【００２５】
ハトメ、リベットの材料は、金属材料または樹脂材料が好ましい。
ハトメ、リベットに対して、機械的に圧縮力を加え（必要に応じて同時に熱を加え）、図１（ｂ）、図３（ａ）のように塑性変形させてカシメ付けるのであれば、従来公知の金属材料または熱可塑性樹脂からなるハトメまたはリベットを用いればよい。前記金属材料としては、真鍮、アルミニウム、銅、鉄などが挙げられ、前記熱可塑性樹脂としては、ポリアセタール、ポリプロピレン、ポリカーボネート、ポリブチレンテレフタレートなどが挙げられる。表面処理は、適宜施せばよい。
図３（ｂ）に示す態様ならば、リベットやハトメは、票固定部と同じ材料となる。
【００２６】
ハトメやリベットの形状は、円筒、円柱のみならず、その断面は、多角形や任意の形状であってもよい。
また、変形させることを意図して、割りピンのように、適宜の切り込みが加えられていてもよい。
ハトメやリベットの外径、およびそれに適当なクリアランスを持って適合する記録票部、票固定部の貫通孔内径は、特に限定はされないが、２ｍｍ〜７ｍｍ程度、特に４ｍｍ〜５ｍｍが実用的で好ましい寸法である。
【００２７】
記録票部は、記載すべき種々のデータを印字すること、および／または、必要に応じて押印することが可能な材料からなるシートであればよい。特に、印字や押印に好ましく、かつ容易に破壊される性質を有する点からは、従来の封緘器具に用いられている紙が好ましい材料である。
記録票部の厚さは、特に限定はされないが、０．１ｍｍ〜０．５ｍｍ程度、特に０．１ｍｍ〜０．２ｍｍが実用的で好ましい寸法である。
記録票部の外径も、特に限定されないが、従来の封緘器具に準ずるならば方形が好ましく、７０ｍｍ×４０ｍｍ〜１００ｍｍ×５０ｍｍ程度が実用的で好ましい寸法である。
【００２８】
本発明による封緘器具が封緘の対象とするのは、硬貨をそのまま直接的に収容した硬貨袋や、硬貨を所定の数量毎に袋等のパッケージに収容した状態で収容した袋など、少なくとも内部に硬貨が収容された封緘のための袋であればよい。いずれの場合も、硬貨の数量を極めて厳密に管理し、作業者の責任において封緘しなければならないものである。
封緘すべき硬貨袋は、任意の材料からなる布帛や網によって構成された袋であればよく、その生地は、硬貨袋として適した強度や網目の大きさを有するものであればよい。
【実施例１】
【００２９】
実施例１
本実施例では、市販の結束バンドとハトメとを転用し、これらと、本実施例のために記録票部として用意した記録用紙とを組合わせて、本発明による封緘器具を作製した。
結束バンドは、タイトン（株）製、品番ＳＹ２３５であって、ストラップ部は幅４ｍｍ厚さ２ｍｍ、長さ約１９０ｍｍである。ヘッド部には、ストラップ部と反対の側に、板状のタグが一体的に設けられている。このタグは、本来、油性インクなどによって直接文字を記入するための部分であるが、本実施例では、このタグを、単なる板状部分と見なし、票固定部として利用している。
記録票部としての記録用紙の寸法は、幅４０ｍｍ×厚さ０．１ｍｍ×長さ１００ｍｍである。
【００３０】
図１（ａ）に示すように、記録票部の端の部分と結束バンドの票固定部とを重ね合わせた状態で、重なり合った領域の中央部分にハトメパンチ（ハトメパンチ♯１；（株）ライオン事務器製）によって口径約５ｍｍの貫通孔を加工した。
次に、外径約４ｍｍの金属製のハトメ鋲（ハトメ鋲♯５；（株）ライオン事務器製）を、前記貫通孔（記録票部の貫通孔と票固定部の貫通孔とが一致している）に挿通し、ハトメパンチによってハトメの状態へと締付けて、記録票部と票固定部とをカシメ固定し、本発明の封緘器具を得た。
【００３１】
（評価）
得られた封緘器具を用いて、実際に硬貨袋を封緘し、その作業性、安全性を調べたところ、従来の封緘器具に比べて、素手の操作によっても容易にかつ強く締めつけることができ、しかも、紙製の記録票がハトメまたはリベットによって票固定部にカシメ付けられて一体化しているので、従来の封緘器具と同様に、捺印し易く、安全性も高い（記録票の転用ができない）ことがわかった。さらに、従来品と比べると、初期の状態では輪状（環状）に閉じていないため、従来品のように硬貨袋の開口部をくぐらせる必要がなく、硬貨袋の開口近傍部に容易に巻き付けることができ、作業性が向上することがわかった。
【００３２】
実施例２
本実施例では、ハトメ鋲として、外径４ｍｍのポリカーボネート製のハトメ（ミツカワ精機（株）製）を用いたこと以外は、上記実施例１と同様にして、本発明による封緘器具を作製した。
得られた封緘器具は、上記実施例１の封緘器具と同様に、作業性が良好であり、素手でも強く締めつけることができ、しかも、捺印し易く、安全性が高いことがわかった。
【産業上の利用可能性】
【００３３】
本発明によって、硬貨を収容する袋の開口を、容易にかつ強く締めつけることができ、しかも、従来の封緘器具が持つ記録票の安全性・信頼性を維持することが可能となった。
【図面の簡単な説明】
【００３４】
【図１】本発明の封緘器具の構成の一例を示す模式図である。図１（ａ）は、ストラップ部の帯面を見せた図（平面図）である。図１（ｂ）は、図１（ａ）の票固定部の断面構造を部分的に拡大して示したＸ−Ｘ断面図である。
【図２】本発明の封緘器具の構成の一例を示す模式図であって、票固定部の位置に関するバリエーションを例示した図である。
【図３】本発明の封緘器具におけるハトメやリベットの、種々の態様を例示する断面図である。
【図４】従来の封緘器具を示す図である。
【図５】図４（ａ）に例示する封緘器具を用いて硬貨袋の開口近傍部を封緘した状態を示す部分拡大図である。
【図６】従来公知の結束バンドの構造を模式的に示す図である。図６（ａ）は、最も基本的な構造を持つ結束バンドの側面図であって、使用状態を実線で示し、ヘッド部とそれにかみ合っている凹凸部だけを部分的に断面で示している。また、未使用時の状態（ストラップ部が延びた状態）を一点鎖線で示している。ストラップ部の帯面に対する鋸歯状の凹凸の形成領域は、図６（ｂ）に現れている。図６（ｂ）は、文字を書き込む板状部分が一体的に付与された態様の結束バンドの一例を示した平面図（ストラップ部の帯面を見た図）である。板状部分以外の構成は、図６（ａ）と同様であって、同じ部位には同じ符号をつけている。
【符号の説明】
【００３５】
１    締付けバンド部
２    記録票部
３    ハトメまたはリベット
１０  ストラップ部
１１  鋸歯状の凹凸部
２０  ヘッド部
２１  挿通孔
２２  爪片
３０  票固定部
【図１】
2006089111.tif 000003
【図２】
2006089111.tif 000004
【図３】
2006089111.tif 000005
【図４】
2006089111.tif 000006
【図５】
2006089111.tif 000007
【図６】
2006089111.tif 000008